(57)【要約】【課題】1）平板状イオン発生素子を用いたイオン発生器に関し、ファンによる風圧を低下させることのないようなイオン送風路構造、並びに2）イオン発生器に関し、ファンによる風圧を低下させることなく広範囲にイオンを拡散しうるようなイオン送風路構造を提供すること。【解決手段】イオン発生器において使用され壁部によって形成されるイオン送風路であって、１）前記イオン発生器はイオン発生電極と誘導電極とを誘電体を介してサンドイッチ状に配置してなる平板状イオン発生素子を含んでなり、前記イオン発生電極はその表面が前記壁部の内面と同じ平面を形成して前記壁部の一部を構成しているイオン送風路、並びに２）イオンが流動する送風方向に沿って拡大する拡大断面と前記送風方向に沿って縮小する縮小断面であって前記拡大断面と交差するような縮小断面とを有するイオン送風路。【選択図】図１３
2008192556.tif 000002
【特許請求の範囲】
【請求項１】
イオン発生器において使用され、壁部によって形成されるイオン送風路であって、
前記イオン発生器は、イオン発生電極と誘導電極とを誘電体を介してサンドイッチ状に配置してなる平板状イオン発生素子を含んでなり、
前記イオン発生電極は、その表面が前記壁部の内面と同じ平面を形成して、前記壁部の一部を構成していることを特徴とするイオン送風路。
【請求項２】
前記壁部は、長手方向に延在し相互に対向する長手壁部と、これら長手壁部を相互に連結させ相互に対向する連結壁部とから形成され、
前記イオン発生電極は、その表面が前記長手壁部の内面と同じ平面を形成して、前記長手壁部の一部を構成していることを特徴とする請求項１記載のイオン送風路。
【請求項３】
前記長手壁部は、前記イオン発生素子を挿入して前記イオン発生電極を前記送風路内に露出させるためのイオン発生電極露出用開口部を備えることを特徴とする請求項１または２記載のイオン送風路。
【請求項４】
イオン発生器において使用され、壁部によって形成されるイオン送風路であって、
当該イオン送風路は、イオンが流動する送風方向に沿って拡大する拡大断面と、前記送風方向に沿って縮小する縮小断面であって前記拡大断面と交差するような縮小断面とを有することを特徴とするイオン送風路。
【請求項５】
前記壁部は、長手方向に延在し相互に対向する長手壁部と、これら長手壁部を連結し相互に対向する連結壁部とから形成され、
前記縮小断面は、前記長手壁部が前記送風方向に沿って相互に近づくことによって形成されると共に、前記拡大断面は、前記連結壁部が前記送風方向に沿って相互に離れることによって形成されることを特徴とする請求項４記載のイオン送風路。
【請求項６】
前記イオン発生器は、イオンを空気と共に流動させるためのファンを備え、
当該イオン送風路は、前記送風方向・上流側においてファンに接続した導入送風路を連結させると共に前記送風方向・下流側においてイオン吹出口を備えることによって通風路を形成することを特徴とする請求項４または５記載のイオン送風路。
【請求項７】
前記イオン発生器は、イオン発生電極と誘導電極とを誘電体を介してサンドイッチ状に配置してなる平板状イオン発生素子を含んでなり、
前記イオン発生電極は、その表面が前記長手壁部の内面と同じ平面を形成して、前記壁部の一部を構成していることを特徴とする請求項１〜６の１つに記載のイオン送風路。
【請求項８】
イオン発生器に設けたカートリッジ装着部に着脱自在に固定されるイオン発生器用カートリッジであって、
請求項１または４記載のイオン送風路を備えることを特徴とするイオン発生器用カートリッジ。
【請求項９】
当該イオン発生器用カートリッジは、前記イオン発生素子を配置したイオン発生素子ユニットと、前記イオン発生素子ユニットが着脱自在に固定されるベース部材とを含んでなり、
前記イオン送風路は、前記ベース部材のベース部材本体に形成されていることを特徴とする請求項８記載のイオン発生器用カートリッジ。
【請求項１０】
請求項１記載のイオン送風路を備えることを特徴とするイオン発生器。
【請求項１１】
請求項４記載のイオン送風路を備えることを特徴とするイオン発生器。
【請求項１２】
当該イオン発生器は、除電器であることを特徴とする請求項１０または１１記載のイオン発生器。
【発明の詳細な説明】
【技術分野】
【０００１】
本発明は、イオン発生器、イオン発生器用のイオン送風路およびイオン発生器用のカートリッジに関する。
【背景技術】
【０００２】
従来から、除電器などのイオン発生器が知られているが、これは、イオン発生電極に高電圧を印加してコロナ放電を生じさせ、空気をイオン化するための機器である。イオン発生方式として、いわゆる針状電極方式が汎用され、近年、いわゆる平板電極方式も実用化されている。
前者の針電極方式は、通常空気を絶縁物として用い、針電極の先端からイオンを発生させる。後者の平板電極方式では、セラミックスなどの材料を平板状の絶縁物（誘電体）として用い、誘電体の一方の面にイオン発生電極をプリント印刷し、他方の面に誘導電極を付設して、サンドイッチ構造を形成している。また、これらの方式を併用した方式も採用されている。
【０００３】
例えば、以下の特許文献１は、針状のイオン発生電極（放電電極）と、誘電体電極（金属製電極支持板）とを誘電体（絶縁物層）を介してサンドイッチ状に配置してなる平板状のイオン発生素子（電極組立体）を開示する〔特許文献１の請求項２、参照〕。これら２つの電極は、ネジで、電極組立体の固定部（詳細には、固定部の給電部）に、着脱自在に固定されている〔特許文献１の図１、参照〕。
また、特許文献２は、イオン発生電極（放電電極）と、誘電体電極とを誘電体を介してサンドイッチ状に配置してなる平板状のイオン発生素子を開示する〔特許文献２の請求項、参照〕。このイオン発生素子には、ソケット型電源部に着脱可能に連結するプラグ部１７（コネクター）を固定、連結している。
【０００４】
しかしながら、特許文献１の電極組立体並びに特許文献２のイオン発生素子は、いずれも、ファンの風の流れを遮断するように送風路内に配置されているため、ファンの風圧を低下させるという問題がある。
また、特許文献１および特許文献２に開示のタイプのイオン発生器では、通常、送風路を構成する内壁が、それぞれ対向する内壁と平行に配置されているため、イオンを含んだ空気を広範囲に送ることができず、発生したイオンを効率よく拡散できないという問題があったのである。
【特許文献１】特開２００５−２１６５３９号公報
【特許文献２】特開２００６−２２８６４６号公報
【発明の開示】
【発明が解決しようとする課題】
【０００５】
前記問題点に鑑み、本発明の課題は、1）平板状イオン発生素子を用いたイオン発生器に関し、ファンによる風圧を低下させることのないようなイオン送風路構造を提供すること、並びに2）イオン発生器に関し、ファンによる風圧を低下させることなく広範囲にイオンを拡散しうるようなイオン送風路構造を提供することである。
【課題を解決するための手段】
【０００６】
前記した第１課題を解決すべく鋭意検討した結果、平板状イオン発生素子を用いてイオン送風路の一部を構成させると共に、そのイオン発生電極をイオン送風路内に突出させないような構造を採用すると、イオンを含む空気の流動性低下を防止してファンによる風圧低下を回避でき、これにより前記第１課題を解決できることを見出した。
また、前記第２課題を解決すべく鋭意検討した結果、末広がりな拡大横断面と、先細の縮小縦断面とを組み合わせることにより、風圧を低下させることなく広範囲にイオンを拡散でき、これにより前記第２課題を解決できることを見出した。
本発明は、以上の知見に基づき完成したものである。
すなわち、本発明は、第１の態様として、イオン発生器において使用され、壁部によって形成されるイオン送風路であって、前記イオン発生器は、イオン発生電極と誘導電極とを誘電体を介してサンドイッチ状に配置してなる平板状イオン発生素子を含んでなり、前記イオン発生電極は、その表面が前記壁部の内面と同じ平面を形成して、前記壁部の一部を構成していることを特徴とするイオン送風路を提供する。
好適には、前記壁部は、長手方向に延在し相互に対向する長手壁部と、これら長手壁部を相互に連結させ相互に対向する連結壁部とから形成され、前記イオン発生電極は、その表面が前記長手壁部の内面と同じ平面を形成して、前記長手壁部の一部を構成していることを特徴とする。
好適には、前記長手壁部は、前記イオン発生素子を挿入して前記イオン発生電極を前記送風路内に露出させるためのイオン発生電極露出用開口部を備えることを特徴とする。
【０００７】
また本発明は、第２の態様として、イオン発生器において使用され、壁部によって形成されるイオン送風路であって、当該イオン送風路は、イオンが流動する送風方向に沿って拡大する拡大断面と、前記送風方向に沿って縮小する縮小断面であって前記拡大断面と交差するような縮小断面とを有することを特徴とするイオン送風路を提供する。
好適には、前記壁部は、長手方向に延在し相互に対向する長手壁部と、これら長手壁部を連結し相互に対向する連結壁部とから形成され、前記縮小断面は、前記長手壁部が前記送風方向に沿って相互に近づくことによって形成されると共に、前記拡大断面は、前記連結壁部が前記送風方向に沿って相互に離れることによって形成されることを特徴とする。
好適には、前記イオン発生器は、イオンを空気と共に流動させるためのファンを備え、当該イオン送風路は、前記送風方向・上流側においてファンに接続した導入送風路を連結させると共に前記送風方向・下流側においてイオン吹出口を備えることによって通風路を形成することを特徴とする。
好適には、前記イオン発生器は、イオン発生電極と誘導電極とを誘電体を介してサンドイッチ状に配置してなる平板状イオン発生素子を含んでなり、前記イオン発生電極は、その表面が前記長手壁部の内面と同じ平面を形成して、前記壁部の一部を構成していることを特徴とする。
【０００８】
さらに本発明は、第３の態様として、イオン発生器に設けたカートリッジ装着部に着脱自在に固定されるイオン発生器用カートリッジであって、第１態様または第２態様の本発明イオン送風路を備えることを特徴とするイオン発生器用カートリッジを提供する。
好適には、当該イオン発生器用カートリッジは、前記イオン発生素子を配置したイオン発生素子ユニットと、前記イオン発生素子ユニットが着脱自在に固定されるベース部材とを含んでなり、前記イオン送風路は、前記ベース部材のベース部材本体に形成されていることを特徴とする。
【０００９】
さらに本発明は、第４の態様として、第１態様の本発明イオン送風路を備えることを特徴とするイオン発生器を提供する。
最後に本発明は、第５の態様として、第２態様の本発明イオン送風路を備えることを特徴とするイオン発生器を提供する。
好適には、当該イオン発生器は、除電器であることを特徴とする。
【発明の効果】
【００１０】
第１態様の本発明によれば、本発明の構成要件、特に、イオン発生電極の表面を、イオン送風路の壁面と同じ平面を形成させると共にイオン送風路の一部を構成させることによって、送られる風を遮断することがなく、ファンによる風力を低下させずに、例えばイオンを含んだ空気を送風できるという、技術的効果を奏することができる。
また第２態様の本発明によれば、本発明の構成要件、特に末広がりな拡大横断面と、先細の縮小縦断面とを組み合わせることによって、風圧を低下させることなく広範囲にイオンを拡散できるという、技術的効果を奏することができた。
【発明を実施するための最良の形態】
【００１１】
第１態様の本発明は、イオン発生器１において使用され、壁部１６b,１７b,１８b,１９bによって形成されるイオン送風路３９であって、
前記イオン発生器は、イオン発生電極５３と誘導電極５４とを誘電体５２を介してサンドイッチ状に配置してなる平板状イオン発生素子５１を含んでなり、
前記イオン発生電極５３は、その表面が前記壁部の内面と同じ平面を形成して、前記壁部の一部を構成していることを特徴とするイオン送風路３９である（番号は、添付の図１１，１２参照）。
また第２態様の本発明は、イオン発生器１において使用され、壁部１６b,１７b,１８b,１９bによって形成されるイオン送風路３９であって、
当該イオン送風路３９は、イオンが流動する送風方向に沿って拡大する拡大断面と、前記送風方向に沿って縮小する縮小断面であって前記拡大断面と交差するような縮小断面とを有することを特徴とするイオン送風路３９である（番号は、添付の図８，９，１２参照）。
本明細書に用いられる「長手方向」なる用語は、イオン、特にイオンを含んだ空気が流動する送風方向（以下、単に送風方向と言う。）と交差するような方向を意味し、したがって、「長手方向に延在する（対向）長手壁部」は、長手方向（好適には送風方向に垂直な方向）に長い長辺と、送風方向に短い短辺とを有する（対向）壁部である。
第１態様の本発明イオン送風路は、いわゆる平板状のイオン発生素子５１の使用が必須である一方、第２態様の本発明イオン送風路は、平板状のイオン発生素子５１だけでなく、いわゆる針状電極や、いわゆるワイヤ状電極も採用することができる。
なお、長手方向に延在し対向する長手壁部から形成される、好適な実施形態であるイオン送風路において、平板状イオン発生素子を使用する場合、第１態様並びに第２態様の本発明送風路は、ともに、対向する長手壁部の一方または両方に、平板状イオン発生素子を設けることが必要である。これにより、長手方向に多数のイオン発生素子を配列することによって多量のイオンを系外に放出させることができる。
以下の実施形態のイオン送風路は、第１態様と第２態様の双方の特徴を有する。
【００１２】
次に、添付の図面を参照しながら、本発明の実施形態を説明することにより本発明を更に詳しく説明するが、本発明は、以下の実施形態に制限されるものではない。
【００１３】
図１は、本発明のイオン発生器の斜視図（ファンは省略）、および図２は、図１のラインII-IIに沿って切欠した図１のイオン発生器の縦断面図である。
これらの図に示すように、イオン発生器１は、イオン発生器本体と、この本体を収納するハウジング２とを含んでなり、前者は、ファン３と、このファン３に流体連通する送風ダクト部４とからなる。送風ダクト部４には、本発明のイオン送風路３９が形成されている（図２）。
ハウジング２は、その上面においてイオン発生器本体（特に、着脱自在なイオン発生器用カートリッジ５、図６参照）を収納する際に使用される蓋６を有すると共に、その側面においてイオン含有空気が放出される開口部８を有する。さらにハウジング２は、側面、好適には開口部８を備えた側面において、電源スイッチ９が付設される。
ファン３は、ファン本体と、このファン本体を収納したケーシング１１を含んでなり、ファン本体は、軸部１２に回転可能に付設された羽根１３を備える。ケーシング１１は、送風ダクト部４に流体連通する送風口１０を備える。
【００１４】
送風路ダクト部４は、送風方向の上流から順に、前記送風口１０に直結する導入送風部２０と、この導入送風部２０に固定連結しイオン発生器用カートリッジ５を着脱自在に装着したカートリッジ装着部２１とを備える。
導入送風部２０には、イオン送風路３９に流体連通する導入送風路２２が形成されていると共に、前記イオン発生器用カートリッジ５には、本発明のイオン送風路３９が形成されており、このイオン送風路３９は、送風方向下流側にイオン吹出口７が流体連通し、ここからイオン含有空気がイオン発生器系外に放出される。
以上の導入送風路２２と、イオン送風路３９と、イオン吹出口７とによって通風路１４が構成される。なお、イオン吹出口７は、カートリッジ装着部５の下流側に固定連結されていると共に、ハウジング２の開口部８を貫通し、ハウジング２の外面において格子状の吹出口２４を備えている。
【００１５】
図３は、図２に示した、イオン発生器用カートリッジ５を取り外した状態の送風ダクト部４を示す斜視図、図４は、図３のラインIV-IVに沿って切欠した図３の送風ダクト部４の縦断面図、および図５は、図３のラインV-Vに沿って切欠した図３の送風ダクト部の横断面図である。
前記したように、導入送風部２０には、導入送風路２２が形成され、この導入送風路２２は、ファン３と、本発明のイオン送風路３９とを流体連通させるための通路であって、通風路１４の一部を構成するものである。
この導入送風路２２は、本発明のイオン送風路３９と同様に、空気が流動する送風方向に拡大する拡大断面（図５）と、前記送風方向に沿って縮小する縮小断面であって前記拡大断面と交差するような縮小断面（図４）とを有することができる。好適には、これらの断面の交差する角度は、略垂直である。
導入送風路２２は、長手方向に延在し相互に対向する長手壁部１６ａ,１７ａ（図４）と、これら長手壁部１６ａ,１７ａを相互に連結させ相互に対向する連結壁部１８ａ，１９ａ（図５）とから形成され、送風方向に沿って、前者の対向壁部は相互に近づく（図４）一方、後者の対向壁部は相互に離れる（図４）。このような構成により、導入送風路２２は、本発明のイオン送風路３９と同様に、ファン３による風力を低下させることなく、広範囲にイオンを拡散させることができる。
【００１６】
前記したように、カートリッジ装着部２１は、イオン発生器１の使用状態で、イオン発生器用カートリッジ５を装着しており、送風方向上流側に導入送風部２０を備え、送風方向下流側にイオン吹出口７を備える（図３）。
カートリッジ装着部２１は、図中上方に開口部を有するよう（図３）、底壁２５と、この底部２５を囲む側壁２６〜２９から形成され、かかる開口部からイオン発生器用カートリッジ５を着脱自在に装着することができる。また、カートリッジ装着部２１は、上流側の側壁２６において導入送風路２２に流体連通する開口部を備えると共に、送風方向下流側の側壁２７においてイオン吹出口７に流体連通する開口部を備える。さらにカートリッジ装着部２１は、その短辺側の両側壁２８および２９において、各々、イオン発生器用カートリッジ５の固定用プレート３５,３６のストッパ突起部６８，６９（図７）に係合するストッパ貫通孔３０，３１を備える。
【００１７】
図６は、図３に示したカートリッジ装着部に装着されるイオン発生器用カートリッジ５（高圧電源部・接続用のプラグ部は省略）の斜視図、図７は、図６のイオン発生器用カートリッジ５を構成するベース部材３３の分解斜視図、図８は、図７のラインVIII-VIIIに沿って切欠した図７のベース部材３３の縦断面図、および図９は、図７のラインIX-IXに沿って切欠した図７のベース部材３３の横断面図である。
【００１８】
前記したように、第３態様の本発明は、イオン発生器用カートリッジ５であり、第１態様の本発明送風路または第２態様の本発明送風路を備えることを特徴とするが、この実施形態では、両方の特徴を有する送風路を備えている。
イオン発生器用カートリッジ５は、イオン発生素子５１を回路基板４９,５０に担持したイオン発生素子ユニット３２（図１０）と、このイオン発生素子ユニット３２が固定されるベース部材３３とを含んでなる。ベース部材３３は、ベース部材本体３４と、このベース部材本体３４にイオン発生素子ユニット３２を固定するための固定用プレート３５〜３８とからなる（特に図７）。
【００１９】
図７〜図９に示すように、ベース部材本体３４は、このベース部材本体３４に固定されるイオン発生素子ユニット３２（特に各イオン発生素子５１のイオン発生電極５３）と共に、本発明のイオン送風路３９を形成するような構造を有する。
すなわち、ベース部材本体３４は、長手方向に延在し相互に対向する長手壁部１６bおよび１７bと、これらの壁を連結させる連結壁部１８bおよび１９bとを備え、前者の長手壁部１６bおよび１７bは、各々、イオン発生素子５１を挿入してそのイオン発生電極５２を送風路３９に露出させるためのイオン発生電極露出用開口部４６および４７を備える。さらにベース部材本体３４は、イオン発生器１の使用時に、導入送風路２２に流体連通する開口部を備えると共に、イオン吹出口７に流体連通する開口部を備える。
長手壁部１６ｂ,１７ｂは、その短辺端部の一方において連結コード４８（図１０）を挿通するためのスリット４０,４１（図７、図９）が形成されると共に、その外面において、イオン発生素子ユニット３２の回路基板４９（図１０）を保持するための枠部４２,４３が形成されており、後者の枠部４２,４３は、長手壁部・長辺端部において長手方向に延在している。さらに、枠部４２,４３は、その両端において、固定用プレート３５〜３８を長手壁部外面に沿ってガイドするようなガイド４４,４５が付設されている。
図７に示すように、固定用プレート３５〜３８は、イオン発生器１の使用状態でイオン発生素子ユニット３２の短辺側の両端部に接触する段部６０〜６３を備える。さらに固定用プレート本体３５および３７は、各々、イオン発生素子ユニット３２の連結コード４８（図１０、参照）を挿通するためのスリット６４および６５を備える。図中上側の固定用プレート３５および３６は、各々、把持用突片６６および６７と、カートリッジ装着部２１のストッパ貫通孔３０，３１（図３）に係合するストッパ突起部６８，６９とを備える。
【００２０】
図６および図７に示すように、イオン送風路３９は、ベース部材本体３３において形成されており、送風方向に沿って拡大する拡大断面（図９）と、送風方向に沿って縮小する縮小断面であって前記拡大断面と交差するような縮小断面（図８）とを有する。好適には、これらの拡大断面と、縮小断面とは、略垂直に交差することができる。また好適には、イオン送風路３９の出口断面積、すなわち吹出口７の断面積は、ファン３の送風口１０（図２）の断面積と同じであるかそれ以下である。このような断面を有することにより、本発明のイオン送風路３９は、風圧を低下させることなく広範囲にイオンを拡散することができる。
また、ベース部材本体３４は、前記したように、長手方向に延在し相互に対向する長手壁部１６bおよび１７bと、これらの壁を連結させる連結壁部１８bおよび１９bとを備え、これらの壁部によって、イオン送風路３９が形成され、前記縮小断面は、長手壁部１６bおよび１７bが送風方向に沿って相互に近づくことによって形成されると共に、前記拡大断面は、前記連結壁部１８bおよび１９bが前記送風方向に沿って相互に離れることによって形成される。
本発明の図示した実施形態では、長手壁部１６bおよび１７bを水平方向に配置して、イオン拡散範囲を水平方向に拡大させているが、垂直（鉛直）方向に拡大する場合には、かかる長手壁部１６bおよび１７bを垂直（鉛直）方向に配置するような構成を採用することもできる。
【００２１】
図１０は、図６のイオン発生器用カートリッジ５を構成するイオン発生素子ユニット３２の斜視図、および図１１は、図１０に示したイオン発生素子の模式的断面を含む、イオン発生素子の電気的構成を示す模式図である。
イオン発生素子ユニット３２は、２つの回路基板４９,５０と、これらを連結する連結コード４８とを含んでなり、前者の回路基板４９,５０上には、イオン発生素子５１を長手方向に沿って配置している。さらに、イオン発生素子ユニット３２は、高圧電源部５５（図１１）に接続するための２本のプラグ部５６，５７と、高圧電源部５５の交流電圧を供給するコード５８，５９とを備える。
図１１に示すように、イオン発生素子５１は、平板状に構成され、イオン発生電極５３と、誘導電極５４とを誘電体５２を介してサンドイッチ状に配置してなる構造を有する。このイオン発生素子５１のイオン発生電極５３は、誘電体５２の片面においてプリント印刷されている。図１０および前記図６に示すように、イオン発生素子５１は、その誘導電極５４が回路基板４９,５０に接すると共にイオン発生電極５３が自由表面を有するように、配置する。
【００２２】
イオン送風路３９は、前記したように、長手壁部１６b,１７bおよび連結壁部１８b,１９bによって形成される。この長手壁部１６b,１７bの内面と、イオン発生電極５３の表面が同じ平面を形成して、長手壁部１６b,１７bの一部を構成している。すなわち、イオン発生電極露出用開口部４６，４７（図７）に挿入されたイオン発生素子５１は、その誘導電極５４が回路基板４９,５０に接すると共に、そのイオン発生電極５３が送風路３９内に露出され、このイオン発生電極５３から送風路３９内にイオンが放出される。なお、イオン発生電極露出用開口部４６，４７と、この開口部４６，４７に挿入されるイオン発生電極５３とは、挿入状態において嵌合状態を形成するような寸法精度は、不要である。なぜなら、かかるイオン発生電極５が付設された回路基板４９,５０がイオン送風路３９の気密性を保持することができるからである。
【００２３】
図１２は、イオン発生素子ユニットの装着工程を示す斜視図、図１３は、装着したイオン発生素子ユニット・回路基板の一方の固定工程を示す斜視図、図１４は、装着したイオン発生素子ユニット・回路基板の他方の固定工程を示す斜視図、および図１５は、完成したイオンカートリッジ発生器用カートリッジの装着固定工程を示す斜視図である。
【００２４】
イオン発生器用カートリッジ５は、次のようにして組み立てられる。
まず、図１２に示すように、イオン発生素子ユニット３２を、その連結コード４８をベース部材本体３４のスリット４０，４１に挿通した状態で、ベース部材本体３４の長手壁部１６ｂ,１７ｂの外面に載置して、イオン発生素子５１をイオン発生電極露出用開口部４６，４７に挿入する。これにより、各イオン発生素子ユニット３２は、イオン発生電極５３がイオン送風路３９を臨むように配置されると共に、イオン送風路３９の壁部内面（長手壁部１６ｂ,１７ｂの内面）と同じ平面を形成して、イオン送風路３９の一部を構成することができる。このような構成を採用することによって、第１態様の本発明（イオン送風路）は、当該送風路内に送られる風を遮断することがなく、ファンによる風力を低下させずに、イオンを含んだ空気を送風させることができる。
【００２５】
次に、図中上側の固定用プレート３５，３６を、ベース部材本体３４の長手壁部１６ｂの短辺各端部外方から、ガイド４４と長手壁部１６ｂ外面との間に挿入すると共に（図１３）、同様に、図中下側の固定用プレート３７，３８をガイド４５と長手壁部１７ｂ外面との間に挿入する（図１４）。次に、挿入した各固定用プレート３５〜３８を、内方にスライドさせ、その段部６０〜６３を回路基板４９,５０の短辺端部に係合させて、イオン発生素子ユニット３２（回路基板４９,５０）をベース部材３３に固定する。
【００２６】
このようにして組み立てたイオン発生器用カートリッジ５は、上側固定用プレート３５,３６の把持用突片６６，６７を指で把持しながら、カートリッジ装着部２１内に装着したのち、上側固定用プレート３５，３６を外方にスライドさせて、そのストッパ突起部６８，６９を、カートリッジ装着部２１のストッパ貫通孔３０，３１に挿入係合させて、イオン発生器用カートリッジ５をカートリッジ装着部２１に固定することができる（図１５）。
【００２７】
イオン発生素子５１が消耗した場合には、前記組立工程と逆の工程に従い、イオン発生素子ユニット３２自体を交換するか、または２枚の回路基板４９,５０を交換することができる。
本発明のイオン発生器用カートリッジ５は、スライド式の固定具（固定用プレート３５〜３６）を採用しているため、イオン発生素子ユニット３２のベース部材３３への固定を、簡便に実施することができる。また、イオン発生素子５１が消耗した場合でも、単に、イオン発生素子ユニット３２（回路基板４９,５０）を交換すれば足りるため、イオン発生素子を分解してはじめてイオン発生素子の交換が可能であった従来技術に比し、イオン発生素子の交換が著しく簡便になった。
【００２８】
本発明のイオン発生器１は、次のように動作することができる。
イオン発生素子５１のイオン発生電極５３と誘導電極５４に交流電圧を印加して、コロナ放電を生じさせ、正負のイオンを発生させる。次いで、ファン３より通風路１４に風を送ることで、イオン吹出口７より正負のイオンを外部に放出し、帯電した部分に吹きつけて静電気を中和することができる。
【図面の簡単な説明】
【００２９】
【図１】本発明のイオン発生器の斜視図
【図２】図１のラインII-IIに沿って切欠した図１のイオン発生器の縦断面図
【図３】図２に示した、イオン発生器用カートリッジを取り外した状態の送風ダクト部を示す斜視図
【図４】図３のラインIV-IVに沿って切欠した図３の送風ダクト部の縦断面図
【図５】図３のラインV-Vに沿って切欠した図３の送風ダクト部の横断面図
【図６】図３に示した送風ダクト部のカートリッジ装着部に装着されるイオン発生器用カートリッジの斜視図
【図７】図６のイオン発生器用カートリッジを構成するベース部材の分解斜視図
【図８】図７のラインVIII-VIIIに沿って切欠した図７のベース部材本体の縦断面図
【図９】図７のラインIX-IXに沿って切欠した図７のベース部材本体の横断面図
【図１０】図６のイオン発生器用カートリッジを構成するイオン発生素子ユニットの斜視図
【図１１】イオン発生素子の電気的構成を示す模式図
【図１２】イオン発生素子ユニットの装着工程を示す斜視図
【図１３】装着したイオン発生素子ユニット・回路基板の一方の固定工程を示す斜視図
【図１４】装着したイオン発生素子ユニット・回路基板の他方の固定工程を示す斜視図
【図１５】完成したイオンカートリッジ発生器用カートリッジの装着固定工程を示す斜視図
【符号の説明】
【００３０】
１：イオン発生器、５：イオン発生器用カートリッジ、１６b,１７b：長手壁部、１８b,１９b：連結壁部：２１：カートリッジ装着部、３９：イオン送風路、５１：イオン発生素子、５２：誘電体、５３：イオン発生電極、５４：誘導電極、Ａ：送風方向
【図１】
2008192556.tif 000003
【図２】
2008192556.tif 000004
【図３】
2008192556.tif 000005
【図４】
2008192556.tif 000006
【図５】
2008192556.tif 000007
【図６】
2008192556.tif 000008
【図７】
2008192556.tif 000009
【図８】
2008192556.tif 000010
【図９】
2008192556.tif 000011
【図１０】
2008192556.tif 000012
【図１１】
2008192556.tif 000013
【図１２】
2008192556.tif 000014
【図１３】
2008192556.tif 000015
【図１４】
2008192556.tif 000016
【図１５】
2008192556.tif 000017